(57)【特許請求の範囲】
【請求項１】
光源からの入射光束を制限する入力スリットと、
迷光カットスリットと、
前記入力スリットと前記迷光カットスリットとの間に配設され、前記入力スリットによって制限された光源からの入射光束を複数の光束に分岐してその１つの光束を前記迷光カットスリットへ出力する分岐光学系と、
前記入力スリットからの入射光束を平行光にコリメートするためのレンズと、前記分岐光学系で分岐された光束を前記迷光カットスリットの近傍に結像させるためのレンズとで構成され、かつ前記入力スリットの開口像（以下、「第１の開口像」と呼ぶ）を前記迷光カットスリットの近傍に形成する第１の結像光学系と、
前記迷光カットスリットを介して入力された光束を各波長成分に分光する分光光学系と、
前記分光光学系によって分光された各波長成分の光束を波長ごとに異なるリターデーションを付加して、前記分光光学系へ向けて反射する位相変調手段と、
前記変調手段からの反射光束を平行光にコリメートするためのレンズと、前記分光光学系で合成された光束を前記迷光カットスリットの近傍に結像させるためのレンズとで構成され、かつ前記変調手段によって反射された前記入力スリットの開口像（以下、「第２の開口像」と呼ぶ）を前記迷光カットスリットの近傍に再形成する第２の結像光学系とを備え、
前記分光光学系は、前記変調手段で反射された各波長成分の光束を合成し、
前記分岐光学系は、前記迷光カットスリットから出力される光束を複数の光束に分岐してその１つの光束を出力光として出力し、
前記迷光カットスリットの開口の大きさは、迷光をカットできる大きさであって、かつ前記第１の結像光学系の収差を含む前記第１の開口像および前記第２の結像光学系の収差を含む前記第２の開口像よりも大きく定められていることを特徴とする光源装置。
【請求項２】
請求項１に記載の光源装置において、
前記迷光カットスリットの開口の大きさは、前記第１の結像光学系の倍率を加味して定められることを特徴とする光源装置。
【請求項３】
請求項１または２に記載の光源装置において、
前記入力スリットの開口の大きさは可変であることを特徴とする光源装置。
【請求項４】
請求項３に記載の光源装置において、
前記迷光カットスリットの開口の大きさは、前記入力スリットの開口の最大の大きさよりも大きく定められることを特徴とする光源装置。
【請求項５】
請求項３に記載の光源装置において、
前記入力スリットの開口の大きさが変更された場合には、変更後の開口の大きさに応じて前記迷光カットスリットの開口の大きさを変更する変更手段をさらに備えることを特徴とする光源装置。
【発明の詳細な説明】
【技術分野】
【０００１】
本発明は、光源装置に関する。
【背景技術】
【０００２】
次のような光源装置が知られている。この光源装置では、指定された分光分布を実現するために各波長成分の減光量を計算する。そして、計算した減光量に基づいてマイクロミラーの傾斜角を算出し、算出した傾斜角に基づいてマイクロミラーを制御することにより、所望のスペクトル分布の光を照射する（例えば、特許文献１）。
【先行技術文献】
【特許文献】
【０００３】
【特許文献１】特開２００６−１８４２３４号公報
【発明の概要】
【発明が解決しようとする課題】
【０００４】
しかしながら、従来の光源装置のように、入射光とマイクロミラーからの反射光とを１つの入出力スリットを通過させた場合には、マイクロミラーからの反射光を入出力スリットに結像させるための光学系の収差により、入出力スリットに結像する像がぼやけ、入出力スリットが反射光の全てを通過させることができず、光源装置の透過率が悪化する可能性があった。
【課題を解決するための手段】
【０００５】
本発明による光源装置は、光源からの入射光束を制限する入力スリットと、迷光カットスリットと、入力スリットと迷光カットスリットとの間に配設され、入力スリットによって制限された光源からの入射光束を複数の光束に分岐してその１つの光束を迷光カットスリットへ出力する分岐光学系と、入力スリットからの入射光束を平行光にコリメートするためのレンズと、分岐光学系で分岐された光束を迷光カットスリットの近傍に結像させるためのレンズとで構成され、かつ入力スリットの開口像（以下、「第１の開口像」と呼ぶ）を迷光カットスリットの近傍に形成する第１の結像光学系と、迷光カットスリットを介して入力された光束を各波長成分に分光する分光光学系と、分光光学系によって分光された各波長成分の光束を波長ごとに異なるリターデーションを付加して、分光光学系へ向けて反射する位相変調手段と、変調手段からの反射光束を平行光にコリメートするためのレンズと、分光光学系で合成された光束を迷光カットスリットの近傍に結像させるためのレンズとで構成され、かつ変調手段によって反射された前記入力スリットの開口像（以下、「第２の開口像」と呼ぶ）を迷光カットスリットの近傍に再形成する第２の結像光学系とを備え、分光光学系は、変調手段で反射された各波長成分の光束を合成し、分岐光学系は、迷光カットスリットから出力される光束を複数の光束に分岐してその１つの光束を出力光として出力し、迷光カットスリットの開口の大きさは、迷光をカットできる大きさであって、かつ第１の結像光学系の収差を含む第１の開口像および第２の結像光学系の収差を含む第２の開口像よりも大きく定められていることを特徴とする。
本発明では、迷光カットスリットの開口の大きさは、第１の結像光学系の倍率を加味して定められるようにしてもよい。
入力スリットの開口の大きさは可変であるようにしてもよい。
迷光カットスリットの開口の大きさは、入力スリットの開口の最大の大きさよりも大きく定められるようにしてもよい。
入力スリットの開口の大きさが変更された場合には、変更後の開口の大きさに応じて迷光カットスリットの開口の大きさを変更する変更手段をさらに備えるようにしてもよい。
【発明の効果】
【０００６】
本発明によれば、光源装置の透過率が悪化することを防ぐことができる。
【図面の簡単な説明】
【０００７】
【図１】光源装置の一実施の形態の構成を示すブロック図である。
【図２】迷光カットスリット２によって入力スリットの開口像の一部がけられる場合の具体例を示す図である。
【図３】入力スリット１の開口像と迷光カットスリット２の開口との関係を示す図である。
【発明を実施するための形態】
【０００８】
図１は、本実施の形態における光源装置の一実施の形態の構成を示すブロック図である。光源装置１００は、白色光源１０１と、入力スリット１と、リレーレンズ１０２と、偏光ビームスプリッタ１０３と、リレーレンズ１０４と、迷光カットスリット２と、コリメータレンズ１０５と、グレーティング１０６と、結像レンズ１０７と、反射型液晶素子アレイデバイス（空間変調素子）１０８と、空間変調素子ドライバ１０９と、コンデンサーレンズ１１０と、出力スリット３とを備えている。
【０００９】
白色光源１０１としては、例えばキセノンランプやハロゲンランプ等が用いられる。入力スリット１は、リレーレンズ１０２の前側焦点位置に配設され、入力スリット１の開口の大きさによって光源装置１００の分解能が決定される。なお、入力スリット１の開口の大きさは固定されていてもよいし、可変であってもよい。白色光源１０１から照射された光は、リレーレンズ１０２の前側焦点位置に配設された入力スリット１に入射し、リレーレンズ１０２で略平行な光にコリメートされ偏光ビームスプリッタ１０３に入力される。
【００１０】
偏光ビームスプリッタ１０３に入射された光は、電場ベクトルが図１の紙面に略平行方向で光軸に直交する方向の直線偏光だけが偏光ビームスプリッタ１０３を通過して、リレーレンズ１０４で迷光カットスリット２の開口部に集光される。ここで、リレーレンズ１０２、偏光ビームスプリッタ１０３、およびリレーレンズ１０４は偏光分岐光学系を構成している。すなわち、偏光分岐光学系により、入力スリット１の開口像が迷光カットスリット２の近傍に形成される。なお、迷光カットスリット２は、図１の紙面に略垂直な方向に略長方形の開口が形成されている。
【００１１】
迷光カットスリット２の開口部から射出した光は、コリメータレンズ１０５で略平行な光にコリメートされ、波長分散作用を有するグレーティング１０６に入射し、結像レンズ１０７でスペクトラム像を形成する。これらのコリメータレンズ１０５、グレーティング１０６、及び結像レンズ１０７は波長分散型分光光学系を構成している。そして、スペクトラム像ができる位置に空間変調素子である反射型液晶素子アレイデバイス１０８が配設されている。
【００１２】
反射型液晶素子アレイデバイス１０８は、液晶層１０８ｂと、液晶層１０８ｂを挟んで入射側にウェッジ形状を有するカバーガラス１０８ａと、液晶層１０８ｂに対してカバーガラス１０８ａと対向する位置に平面ミラー１０８ｃが配置されている。液晶層１０８ｂはカバーガラス１０８ａと平面ミラー１０８ｃの間に密閉されている。なお、カバーガラス１０８ａの外部に接した面における表面反射以外の反射光強度は実用上無視できる。また、カバーガラス１０８ａは、ガラス以外であっても透明媒質からなるものであれば使用可能である。
【００１３】
図１では図示していないが、反射型液晶素子アレイデバイス１０８は、独立制御される変調素子である複数の液晶素子が1次元的に配列されており、配列の方向はスペクトラム像の波長分散方向である図１の紙面に垂直な方向に一致している。反射型液晶素子アレイデバイス１０８の１次元に配列された個々の液晶素子は空間変調素子ドライバ１０９によってそれぞれ独立に制御され、個々の液晶素子内を往復する光は素子毎に異なるリターデーションが付加される。
【００１４】
反射型液晶素子アレイデバイス１０８から射出した光は素子毎に、すなわち波長要素毎に異なる楕円偏光になる。反射型液晶素子アレイデバイス１０８で楕円偏光化された光は、結像レンズ１０７、グレーティング１０６、およびコリメータレンズ１０５とで構成される波長分散型分光光学系内を進行する過程で波長合波作用を受け、迷光カットスリット２の開口部に集光される。すなわち、波長分散型分光光学系により、反射型液晶素子アレイデバイス１０８で反射された入力スリット１の開口像が迷光カットスリット２の近傍に形成される。
【００１５】
迷光カットスリット２の開口部から射出した光は、リレーレンズ１０４でコリメートされ、偏光ビームスプリッタ１０３に入射する。偏光ビームスプリッタ１０３の偏光分離部は、入射光の電場ベクトルと直交する方向の直線偏光を反射し、コンデンサーレンズ１１０によって後側焦点位置に配設された出力スリット３の開口部に集光される。これにより、出力スリット３から射出した光を外部に照射することができる。
【００１６】
本実施の形態における光源装置１００では、迷光カットスリット２の開口の大きさは、発生する迷光をカットできる大きさである必要があるとともに、入力スリット１の開口像が通過できる大きさとする必要がある。具体的には、第１に、迷光カットスリット２の開口の大きさは、偏光分岐光学系により迷光カットスリット２の近傍に形成される入力スリット１の開口像よりも大きく設定する必要がある。これによって、偏光分岐光学系により形成される入力スリット１の開口像は迷光カットスリット２によってけられることなく通過することができる。
【００１７】
また、第２に、迷光カットスリット２の開口の大きさは、波長分散型分光光学系により迷光カットスリット２の近傍に形成される反射型液晶素子アレイデバイス１０８で反射された入力スリット１の開口像よりも大きく設定する必要がある。これによって、波長分散型分光光学系により形成される入力スリット１の開口像は迷光カットスリット２によってけられることなく通過することができる。
【００１８】
例えば、波長分散型分光光学系により形成される入力スリット１の開口像は、波長分散型分光光学系の収差のためにぼやける可能性がある。この場合、迷光カットスリット２の開口の大きさを入力スリット１の開口の大きさと同じにした場合には、図２に示すように、波長分散型分光光学系により形成される入力スリット１の開口像（入力スリット像）２ａの大きさが迷光カットスリット２の開口２ｂの大きさよりも大きくなり、迷光カットスリット２が信号光をけってしまう可能性がある。
【００１９】
これを回避するために、本実施の形態では、図３に示すように、迷光カットスリット２の開口２ｂの大きさが波長分散型分光光学系の収差によってぼけた像の大きさよりも大きくなるように、迷光カットスリット２の開口２ｂの大きさが設定される。すなわち、迷光カットスリット２の開口２ｂの大きさは、波長分散型分光光学系の収差を加味して、入力スリット１の開口の大きさよりも大きく設定される。
【００２０】
また、波長分散型分光光学系の倍率は一般的に等倍であるため、迷光カットスリット２の開口２ｂの大きさ決定する際に波長分散型分光光学系の倍率を加味する必要はない。これに対して、偏光分岐光学系の倍率は必ずしも等倍とは限らないため、偏光分岐光学系の倍率が等倍でない場合には、迷光カットスリット２の開口２ｂの大きさを決定する際には偏光分岐光学系の倍率を加味する必要がある。また、波長分散型分光光学系の場合と同様に、偏光分岐光学系の収差によっても入力スリット１の開口像２ａはぼやけるため、迷光カットスリット２の開口２ｂの大きさ決定する際には、偏光分岐光学系の収差も加味する必要がある。
【００２１】
例えば、上述したように、波長分散型分光光学系の収差を加味して設定した迷光カットスリット２の開口２ｂの大きさよりも、偏光分岐光学系によって迷光カットスリット２の近傍に形成される入力スリット１の開口像２ａの大きさが大きい場合には、さらに偏光分岐光学系の倍率や収差を加味して、迷光カットスリット２が入力スリット１の開口像２ａをけらないように、迷光カットスリット２の開口２ｂの大きさを設定する必要がある。
【００２２】
なお、入力スリット１の開口の大きさを可変とした場合には、迷光カットスリット２の開口の大きさ２ｂを、入力スリット１の開口の最大の大きさを対象として波長分散型分光光学系の収差、偏光分岐光学系の倍率や収差を加味して設定した大きさに固定しておけば、入力スリット１の開口の大きさが変更されても常に迷光カットスリット２が入力スリット１の開口像２ａをけらないようにすることができる。あるいは、入力スリット１の開口の大きさが変更された場合には、変更後の開口の大きさに応じて、迷光カットスリット２が入力スリット１の開口像２ａをけらないように、迷光カットスリット２の開口の大きさを変更するようにしてもよい。
【００２３】
以上説明した本実施の形態によれば、以下のような作用効果を得ることができる。
（１）迷光カットスリット２の開口２ｂの大きさを偏光分岐光学系により形成される入力スリット１の開口像および波長分散型分光光学系により形成される入力スリット１の開口像よりも大きく設定するようにした。これによって、入力スリット１の開口像が迷光カットスリット２によってけられるのを防ぐことができ、光源装置１００の透過率が悪化することを防ぐことができる。
【００２４】
（２）迷光カットスリット２の開口の大きさは、偏光分岐光学系の倍率、偏光分岐光学系の収差、及び波長分散型分光光学系の収差を加味して定められるようにした。これによって、偏光分岐光学系の倍率によって入力スリット１の開口像２ａが拡大されたり、偏光分岐光学系の収差によって入力スリット１の開口像２ａがぼやけたり、波長分散型分光光学系の収差によって入力スリット１の開口像２ａがぼやけたりしても、迷光カットスリット２が入力スリット１の開口像２ａをけらないようにすることができる。
【００２５】
（３）入力スリット１の開口の大きさは可変としてもよいため、入力スリット１の開口の大きさを変更することにより、光源装置１００の分解能を任意に変更することが可能となる。
【００２６】
（４）入力スリット１の開口の大きさを可変とした場合には、迷光カットスリット２の開口２ｂの大きさを、入力スリット１の開口の最大の大きさとした場合の大きさに固定しておくようにした。これによって、入力スリット１の開口の大きさが変更されても迷光カットスリット２が入力スリット１の開口像２ａをけらないようにすることができる。
【００２７】
（５）入力スリット１の開口の大きさが変更された場合には、変更後の開口の大きさに応じて迷光カットスリット２の開口２ｂの大きさを変更するようにした。これによって、入力スリット１の開口の大きさが変更されても迷光カットスリット２が入力スリット１の開口像２ａをけらないようにすることができる。
【００２８】
―変形例―
なお、上述した実施の形態の光源装置は、以下のように変形することもできる。
（１）上述した実施の形態における光源装置１００は、白色光源１０１を備える例について説明した。しかしながら、白色光源１０１に代えて外部の光源から光を導入するためのオプティカルファイバを備えるようにし、該オプティカルファイバを介して外部光源からの入射光を取り込むようにしてもよい。
【００２９】
（２）上述した実施の形態における光源装置１００では、出力スリット３から射出される光を直接外部に照射する例について説明した。しかしながら、出力スリット３から射出される光を外部に導出するためのオプティカルファイバを備えるようにし、該オプティカルファイバを介して出力スリット３からの射出光を外部に導出するようにしてもよい。
【００３０】
（３）上述した実施の形態では、波長分散型分光光学系で合成された反射型液晶素子アレイデバイス１０８からの反射光は、迷光カットスリット２と出力スリット３と通過して外部に照射される例について説明した。しかしながら、図１において、出力スリット３を無くし、迷光カットスリット２の配置位置を出力スリット３が配置されていた位置に変更し、反射型液晶素子アレイデバイス１０８からの反射光は、迷光カットスリット２のみを通過して外部に照射されるようにしてもよい。
【００３１】
（４）上述した実施の形態では、光源装置１００は、反射型液晶素子アレイデバイス１０８により各波長成分の光を変更する例について説明した。しかしながら、特開２００６−１８４２３４号公報に記載されている光源装置のように、マイクロミラーを用いて各波長成分の光を減光するようにしてもよい。
【００３２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３３】
１００  光源装置、１  入力スリット、２  迷光カットスリット、３  出力スリット、１０１  白色光源、１０２、１０４  リレーレンズ、１０３  偏光ビームスプリッタ、１０５  コリメータレンズ、１０６  グレーティング、１０７  結像レンズ、１０８  反射型液晶素子アレイデバイス（空間変調素子）、１０９  空間変調素子ドライバ、１１０  コンデンサーレンズ
【図１】
0005573063.tif 000002
【図２】
0005573063.tif 000003
【図３】
0005573063.tif 000004